(57)【要約】【課題】  自動車の屋根付荷台に簡単かつ確実に設置でき、荷物の積み下ろしの際に、荷物が雨に濡れないようにした自動車用雨除け装置を提供する。【解決手段】  自動車の屋根付荷台Ｃの上壁面Ａと底壁面Ｂとの間に着脱可能に二本の側柱１１，１１を架設し、側柱１１，１１の上端間に、ルーフシート１２１を巻取り収納したドラム本体１２２の両端を着脱自在に取付け、側柱１１，１１間にドラム本体１２２と張出用バー１２５とからなるシートドラムセット１２を差渡す。張出用バー１２５の両側端にバー固定部材１２７を介してサイドポール１３の一端を嵌着し、他端をサイドポール接続部材１３１を介して側柱１１の中間部に接続、固定して、自動車用雨除け装置１を構成する。サイドポール接続部材１３１に取付けたハンドル１３２によってサイドポール１３の傾斜角度θを調節し、ドラム本体１２２から引出されるルーフシート１２１の迫出し度合を設定する。【選択図】          図１
0003103055.tif 000002
【実用新案登録請求の範囲】
【請求項１】
自動車の屋根付荷台の上壁面と底壁面との間に着脱可能に架設された二本の側柱の上端間に、ルーフシートが巻取り収納されたドラム本体の両端を着脱自在に取付けて、前記側柱間に、前記ドラム本体とルーフシートの前端部に固定された張出用バーとからなるシートドラムセットを差渡し、前記張出用バーの両側端に、バー固定部材を介してサイドポールの一端を嵌着すると共に、当該サイドポールの他端を、サイドポール接続部材を介して前記側柱の中間部に接続固定し、そして、前記サイドポール接続部材に取付けられるハンドルの操作で、前記サイドポールの傾斜角度を調節して、前記ドラム本体から引出されるルーフシートの迫出し度合を設定するように構成されていることを特徴とする自動車用雨除け装置。
【請求項２】
二本の側柱は、各々その中間部で柱上段部と柱下段部とを柱接続部材で連結して構成され、前記柱上段部の上端には上部パットを取付けると共に、当該上部パットの直下にはドラム本体を着脱自在に取付けるジョイントを設け、一方、前記柱下段部の下端には下部パットを取り付けると共に、当該下部パットの直上には高さ調節部材を螺着し、且つ、当該高さ調節部材の上方にサイドポール接続部材を取付けてなることを特徴とする請求項１に記載の自動車用雨除け装置。
【請求項３】
柱下段部の下端と高さ調節部材との間にねじ螺合部を形成して、前記高さ調節部材を回すことにより側柱の高さが調節されるようになっていることを特徴とする請求項２に記載の自動車用雨除け装置。
【請求項４】
シートドラムセットのドラム本体は、軸芯となる円筒コイルばねがシート巻筒に遊嵌され、且つ、当該円筒コイルばねの一端が、ホルダーを介してドラム掛止部に固定されると共に、他端が前記シート巻筒に係着してなり、前記円筒コイルばねの弾発付勢により、ルーフシートの自動巻取り、引出しができるようになっていることを特徴とする請求項１乃至３の何れかに記載の自動車用雨除け装置。
【請求項５】
自動車の屋根付荷台の左右側壁面間に、ルーフシートが巻取り収納されたドラム本体の両端を着脱自在に取付けて、前記ドラム本体とルーフシートの前端部に固定された張出用バーとからなるシートドラムセットを差渡し、前記張出用バーの両側端に、バー固定部材を介してサイドポールの一端を嵌着すると共に、当該サイドポールの他端を、サイドポール接続部材を介して前記左右側壁面の中間部に接続固定し、そして、前記サイドポール接続部材に取付けられるハンドルの操作で、前記サイドポールの傾斜角度を調節して、前記ドラム本体から引出されるルーフシートの迫出し度合を設定するように構成されていることを特徴とする自動車用雨除け装置。
【請求項６】
シートドラムセットのドラム本体は、軸芯となる円筒コイルばねがシート巻筒に遊嵌され、且つ、当該円筒コイルばねの一端が、ホルダーを介してドラム掛止部に固定されると共に、他端が前記シート巻筒に係着してなり、前記円筒コイルばねの弾発付勢により、ルーフシートの自動巻取り、引出しができるようになっていることを特徴とする請求項５に記載の自動車用雨除け装置。
【考案の詳細な説明】
【技術分野】
【０００１】
本考案は、トラック等の屋根付荷台を有する自動車に設置して、荷物を屋根付荷台に積み下ろす際に、荷物が雨によって濡れないようにした自動車用雨除け装置に関する。
【背景技術】
【０００２】
トラック等の屋根付荷台を有する自動車では、屋根付荷台の後側扉部を開放して、そこから荷物を積み下ろしているが、雨天時には、荷物の積み下ろしの際に、荷物が雨に濡れて毀損し易いという問題がある。
従来は、このような場合、荷物に防水シートを被せたり、後側扉部上方に防水シートを張って、荷物が雨に直接濡れないようにしていた（特許文献１参照。）。
【０００３】
【特許文献１】特開平１１−２９１７５９号公報
【考案の開示】
【考案が解決しようとする課題】
【０００４】
しかし、荷物に防水シートを被せる方法にあっては、防水シートを多数又は多種用意しなければならないとともに、一々荷物に防水シートを被せる作業は極めて煩雑で、時間がかかった。
又、後側扉部上方に防水シートを張る方法にあっては、屋根付荷台は防水シートを張る構造とはなっていないため、後側扉部上方に防水シートを張ることは容易ではないとともに、確実に固定しておくことは困難であった。
【０００５】
本考案は、上記従来の問題点に鑑みて為されたものであって、荷物用防水シート及びそれを荷物に被せる作業を不要とし、後側扉部上方に簡単かつ確実に荷台用防水シートを張ることができて、荷物の積み下ろしの際に、荷物が雨に濡れないようにした自動車用雨除け装置を提供することを目的とする。
【課題を解決するための手段】
【０００６】
上記目的を達成するため、本考案は、自動車の屋根付荷台の上壁面と底壁面との間に着脱可能に架設された二本の側柱の上端間に、ルーフシートが巻取り収納されたドラム本体の両端を着脱自在に取付けて、前記側柱間に、前記ドラム本体とルーフシートの前端部に固定された張出用バーとからなるシートドラムセットを差渡し、前記張出用バーの両側端に、バー固定部材を介してサイドポールの一端を嵌着すると共に、当該サイドポールの他端を、サイドポール接続部材を介して前記側柱の中間部に接続固定し、そして、前記サイドポール接続部材に取付けられるハンドルの操作で、前記サイドポールの傾斜角度を調節して、前記ドラム本体から引出されるルーフシートの迫出し度合を設定するように自動車用雨除け装置を構成したことを特徴とする。
【０００７】
本考案は、又、自動車の屋根付荷台の左右側壁面間に、ルーフシートが巻取り収納されたドラム本体の両端を着脱自在に取付けて、前記ドラム本体とルーフシートの前端部に固定された張出用バーとからなるシートドラムセットを差渡し、前記張出用バーの両側端に、バー固定部材を介してサイドポールの一端を嵌着すると共に、当該サイドポールの他端を、サイドポール接続部材を介して前記左右側壁面の中間部に接続固定し、そして、前記サイドポール接続部材に取付けられるハンドルの操作で、前記サイドポールの傾斜角度を調節して、前記ドラム本体から引出されるルーフシートの迫出し度合を設定するように自動車用雨除け装置を構成したことを特徴とする。
【考案を実施するための最良の形態】
【０００８】
以下、本考案の自動車用雨除け装置の好適な実施形態について、図面に基づいて具体的に説明する。
【０００９】
図１は、本考案の自動車用雨除け装置の一実施例の斜視図であり、図２は、図１の自動車用雨除け装置の分解斜視図であり、図３は、図１における側柱の設置状態を示す側面図であり、図４は、図１におけるシートドラムセットの分解斜視図であり、図５は、シートドラムセットの側柱への装着方法を示す部分斜視図であり、図６は、図１におけるサイドポール接続部材の作用機構を示す部分斜視図である。
【００１０】
本考案は、図１、図２及び図５に示すように、屋根付荷台Ｃを有する自動車の上壁面Ａと底壁面Ｂ間に着脱可能に架設された二本の側柱１１，１１の上端間に、ルーフシート１２１が巻取り収納されたドラム本体１２２の両端を着脱自在に取付けて、上記側柱１１，１１間に、上記ドラム本体１２２と張出用バー１２５とからなるシートドラムセット１２を差渡し、上記張出用バー１２５の両側端に、バー固定部材１２７を介してサイドポール１３の一端を嵌着すると共に、このサイドポール１３の他端を、サイドポール接続部材１３１を介して上記側柱１１の中間部に接続固定し、そして、図６に示すように、上記サイドポール接続部材１３１に取付けられるハンドル１３２の操作で、上記サイドポール１３の傾斜角度θを調節して、上記ドラム本体１２２から引き出されるルーフシート１２１の迫出し度合を設定するように構成されていることを特徴とするものである。
【００１１】
そして、上記二本の側柱１１，１１は、図３に示すように、各々その中間部で柱上段部１１−１と柱下段部１１−２とを柱接続部材１１−３で連結して構成され、上記柱上段部１１−１の上端には上部パット１１１を取付けると共に、この上部パット１１１の直下にはドラム本体１２２を着脱自在に取付けるジョイント１１２を設け、一方、上記柱下段部１１−２の下端には下部パット１１５を取付けると共に、この下部パット１１５の直上には高さ調節部材１１４を螺着し、且つ、この高さ調節部材１１４の上方にサイドポール接続部材１３１を取り付けてなることを特徴とし、更に、上記側柱１１の柱下段部１１−２の下端と高さ調節部材１１４との間にねじ螺合部１１４′を形成して、上記高さ調節部材１１４を回すことにより上記側柱１１の高さが調節させるようになっていることを特徴とするものである。
【００１２】
また、上記シートドラムセット１２のドラム本体１２２は、図４に示すように、軸芯となる円筒コイルばね１２３がシート巻筒１２２′に遊嵌され、且つ、この円筒コイルばね１２３の一端が、ホルダー１２４′を介してドラム掛止部１２６に固定されると共に、他端が上記シート巻胴１２２′に係着してなり、上記円筒コイルばね１２３の弾発付勢により、ルーフシート１２１の自動巻取り、引出しができるようになっていることを特徴とするものである。
【００１３】
本考案により、上述の如く、上壁面Ａと底壁面Ｂ間に渡り、高さ調節自在な二本の側柱１１，１１が着脱可能に架設され、且つ、上記二本の側柱１１，１１間に、シートドラムセット１２が着脱自在に差渡し形成されているので、自動車用雨除け装置１を屋根付荷台Ｃへ簡単且つ確実に取付け、付替えることができると共に、必要に応じて、ルーフシート１２１が収納されているドラム本体１２２と張出用バー１２５等を含むシートドラムセット１２を、側柱１１から簡単に取外すこともできるので便利である。
【００１４】
また、シートドラムセット１２の張出用バー１２５の両側端に、バー固定部材１２７を介してサイドポール１３の一端が嵌着され、このサイドポール１３の他端が、サイドポール接続部財１３１を介して側柱１１に接続固定され、そして、上記サイドポール接続部材１３１のハンドル１３２操作により、上記サイドポール１３の傾斜角度θを調節できるようになっていることと、ドラム本体１２２の軸芯である円筒コイルばね１２３の周方向への捩り弾発作用により、ドラム本体１２２からルーフシート１２１を簡単に引出せると共に、ルーフシート１２１をドラム本体１２２内へ自動的に巻き取ることができるようになっているので、上記サイドポール１３の傾斜角度θを調節すれば、張出用バー１２５とこれに共連れされるルーフシート１２１の迫出し度合が自在に変えられるものである。
【００１５】
図７は、本考案の自動車用雨除け装置の他実施例の斜視図であり、図８は、シートドラムセットのジョイントへの装着方法を示す部分斜視図であり、図９は、図７におけるサイドポール接続部材の作用機構を示す部分斜視図である。
【００１６】
本考案は、また、図７、図８に示すように、屋根付荷台Ｃを有する自動車の左右側壁面Ｄ，Ｄ間に、ルーフシート１２１が巻取り収納されたドラム本体１２２の両端を着脱自在に取付けて、前記ドラム本体１２２とルーフシート１２１の前端部に固定された張出用バー１２５とからなるシートドラムセット１２を差渡し、前記張出用バー１２５の両側端に、バー固定部材１２７を介してサイドポール１３の一端を嵌着すると共に、当該サイドポール１３の他端を、サイドポール接続部材１３１を介して前記左右側壁面Ｄ，Ｄの中間部に接続固定し、そして、図９に示すように、前記サイドポール接続部材１３１に取付けられるハンドル１３２の操作で、前記サイドポール１３の傾斜角度θを調節して、前記ドラム本体１２２から引出されるルーフシート１２１の迫出し度合を設定するように構成されていることを特徴とするものである。
【００１７】
本考案により、上述の如く、左右側壁面Ｄ，Ｄ間に、シートドラムセット１２が着脱自在に差渡し形成されているので、自動車用雨除け装置２１を屋根付荷台Ｃへ簡単且つ確実に取付け、付替えることができると共に、必要に応じて、ルーフシート１２１が収納されているドラム本体１２２と張出用バー１２５等を含むシートドラムセット１２を、簡単に取外すこともできるので便利である。
【００１８】
また、シートドラムセット１２の張出用バー１２５の両側端に、バー固定部材１２７を介してサイドポール１３の一端が嵌着され、このサイドポール１３の他端が、サイドポール接続部材１３１を介して左右側壁面Ｄ，Ｄに接続固定され、そして、上記サイドポール接続部材１３１のハンドル１３２操作により、上記サイドポール１３の傾斜角度θを調節できるようになっていることと、ドラム本体１２２の軸芯である円筒コイルばね１２３の周方向への捩り弾発作用により、ドラム本体１２２からルーフシート１２１を簡単に引出せると共に、ルーフシート１２１をドラム本体１２２内へ自動的に巻き取ることができるようになっているので、上記サイドポール１３の傾斜角度θを調節すれば、張出用バー１２５とこれに共連れされるルーフシート１２１の迫出し度合が自在に変えられるものである。
【実施例１】
【００１９】
図１に示す本考案の自動車用雨除け装置１は、図３に示す側柱１１と図４に示すシートドラムセット１２、及び、この側柱１１とシートドラムセット１２の各々に付帯する部材や、側柱１１とシートドラムセット１２間を接続する部材等から構成されている。
【００２０】
本考案の自動車用雨除け装置１で使用される側柱１１は、図３に示すように、その中間部で、大径の柱下段部１１−２に小径の柱上段部１１−１を挿嵌して、この挿嵌した部位を柱接続部材１１−３を介してボルト１４で締着することにより、柱上段部１１−１と柱下段部１１−２間が連結されるようになっている。
また、大径の柱下段部１１−２に小径の柱上段部１１−１をコンパクトに収納することができるので、側柱１１を保管したり運搬する場合に便利である。
【００２１】
上記柱上段部１１−１の上端には、滑り止めのゴム座１１１′を添着した上部パット１１１を取り付けると共に、この上部パット１１１の直下には、ドラム本体１２２のドラム掛止部１２６を受止めるドラム受座１１３を備えたジョイント１１２がボルト１４で締着固定され、一方、上記柱下段部１１−２の下端には、滑り止めのゴム座１１５′を添着した下部パット１１５を取り付けると共に、この下部パット１１５の直上には、ねじ螺合部１１４′が形成された高さ調節部材１１４を取付け、この高さ調節部材１１４を回すことにより側柱１１の高さを調節して、側柱１１を上壁面Ａと底壁面Ｂ間に着脱可能に架設することができるものである。
【００２２】
上記柱下段部１１−２に取付けられた高さ調節部材１１４の上方には、サイドポール接続部材１３１がボルト１４により締着固定されるが、このサイドポール接続部材１３１には、図３及び図６に示すように、サイドポール１３の傾斜角度θを調節して固定するハンドル１３２を取付けるためのハンドル止孔１３３が穿設されている。
【００２３】
また、本考案の自動車用雨除け装置１で使用されるシートドラムセット１２は、図４に示すように、ドラム本体１２２とこのドラム本体１２２を覆うドラムカバー１２４、及び、上記ドラム本体１２２と張出用バー１２５とが、ルーフシート１２１により連なってこれらがセットになっているものである。
【００２４】
上記ドラム本体１２２は、円筒コイルばね１２３とルーフシート１２１を巻き回するシート巻筒１２２′とからなり、上記円筒コイルばね１２３が、シート巻筒１２２′内に収まって回転軸芯を形成している。すなわち、円筒コイルばね１２３の一端が、ホルダー１２４′を介してドラム掛止部１２６に固着され、円筒コイルばね１２３の他端に形成した係着部１２３′がシート巻筒１２２′内に係着されて、シート巻筒１２２′の回転に伴ない円筒コイルばね１２３が共回りするようになっている。ここで、円筒コイルばね１２３他端の軸端部１２３″は、ホルダー１２４′を介してドラム掛止部１２６に回転自在に軸支されている。
【００２５】
また、上記ドラム本体１２２の両端に取付けられるドラム掛止部１２６は、図５に示すように、柱上段部１１−１に固定されているジョイント１１２のドラム受座１１３に、上方向には着脱自在であるがシートドラムセット１２の重力が働く方向には抜出不能に形成されている。
【００２６】
従って、上記ルーフシート１２１の前端部に固定された張出用バー１２５を前倒しすれば、ルーフシート１２１が、円筒コイルばね１２３の弾発付勢作用により、ドラム本体１２２のシート巻筒１２２′から張った状態で円滑に引出され、また、逆に張出用バー１２５を後倒しすれば、ルーフシート１２１がドラム本体１２２内へ自動的に巻戻されるものである。
【００２７】
以下、本考案の自動車用雨除け装置１の設置手順について記述する。
先ず、図３に示すように、屋根付荷台Ｃを有する自動車の上壁面Ａと底壁面Ｂ間に、二本の側柱１１，１１を、各々の柱下段部１１−２の下端部に取付けてある高さ調節部材１１４を回すことにより突張り架設したのち、図５に示すように、各柱上段部１１−１に締結固定されているジョイント１１２のドラム受座１１３にドラム掛止部１２６を掛けて、二本の側柱１１，１１間にシートドラムセット１２を差渡しておく。
【００２８】
次いで、シートドラムセット１２の張出用バー１２５の両端にバー固定部材１２７を嵌着固定したのち、このバー固定部材１２７にサイドポール１３の一端を嵌着すると共に、サイドポール１３の他端を、図６に示すように、柱下段部１１−２に締着固定されているサイドポール接続部材１３１に接続する。
この接続部位において、サイドポール１３の下端をサイドポール接続部材１３１に挟持させると共に、このサイドポール接続部材１３１に締結用のハンドル１３２を取付け、これをｘ方向、ｙ方向に回転させることにより、サイドポール１３の弛緩、緊締を行って、サイドポール１３の傾斜角度θを設定するものである。
【００２９】
本考案の自動車用雨除け装置１によれば、屋根付荷台Ｃを有する自動車の上壁面Ａと底壁面Ｂ間に渡り、高さ調節自在な二本の側柱が架設され、且つ、上記二本の側柱間に、シートドラムセットが着脱自在に跨設されているので、自動車用雨除け装置１を屋根付荷台Ｃへ簡単且つ確実に取付け、付替えることができ、また、必要に応じて、ルーフシートを収納するドラム本体と張出用バー等を含むシートドラムセットを、ワンタッチで側柱から取外すこともできる等、自動車用雨除け装置１の屋根付荷台Ｃへの取付け、取外しが極めて簡単であり、便利であるという作用、効果を奏するものである。
【００３０】
また、シートドラムセットの張出用バーにサイドポールの一端が固着され、このサイドポールの他端が、サイドポール接続部材に付設されているハンドルの操作により、上記サ
イドポールの傾斜角度を調節できるようになっていることと、ドラム本体のシート巻筒の軸芯となっている円筒コイルばねの弾発付勢作用で、ドラム本体からルーフシートを引出したり、ルーフシートをドラム本体内へ自動的に巻き取ることができるので、上記サイドポールの傾斜角度を変えて、ルーフシートを望み通りに迫出し調節できるという作用、効果を奏するものである。
【実施例２】
【００３１】
図７に示す本考案の自動車用雨除け装置２１は、図４に示すシートドラムセット１２と図９に示すサイドポール１３、及び、このシートドラムセット１２とサイドポール１３の各々に付帯する部材等から構成されている。
ここで、シートドラムセット１２及びサイドポール１３は、上記自動車用雨除け装置１におけると同様に構成されている。
【００３２】
図７及び図８に示すように、屋根付荷台Ｃの左及び右側壁面部Ｄの上方部には、ドラム本体１２２のドラム掛止部１２６を受止めるドラム受座１１３を備えたジョイント１１２が、支柱部材２２及び支持部材２３，２３を介してボルトによって固定されている。
【００３３】
又、図７及び図９に示すように、屋根付荷台Ｃの左及び右側壁面部Ｄの中間部には、サイドポール１３の他端を接続するサイドポール接続部材１３１が、支柱部材２４及び支持部材２５，２５を介してボルトによって固定されている。
【００３４】
以下、本考案の自動車用雨除け装置２１の設置手順について記述する。
先ず、図８及び図９に示すように、屋根付荷台Ｃを有する自動車の左及び右側壁面部Ｄの上方部にジョイント１１２を、左及び右側壁面部Ｄの中間部にサイドポール接続部材１３１を固定した後、図８に示すように、左及び右側壁面部Ｄの上方部に固定したジョイント１１２のドラム受座１１３にドラム掛止部１２６を掛けて、左及び右側壁面部Ｄ間にシートドラムセット１２を差渡しておく。
【００３５】
次いで、シートドラムセット１２の張出用バー１２５の両端にバー固定部材１２７を嵌着固定したのち、このバー固定部材１２７にサイドポール１３の一端を嵌着すると共に、サイドポール１３の他端を、図９に示すように、左及び右側壁面部Ｄの中間部に固定したサイドポール接続部材１３１に接続する。
この接続部位において、サイドポール１３の下端をサイドポール接続部材１３１に挟持させると共に、このサイドポール接続部材１３１に締結用のハンドル１３２を取付け、これをｘ方向、ｙ方向に回転させることにより、サイドポール１３の弛緩、緊締を行って、サイドポール１３の傾斜角度θを設定するものである。
【００３６】
本考案の自動車用雨除け装置２１によれば、屋根付荷台Ｃを有する自動車の左及び右側壁面部Ｄ，Ｄ間に、シートドラムセットが着脱自在に跨設されているので、自動車用雨除け装置２１を屋根付荷台Ｃへ簡単且つ確実に取付け、付替えることができ、また、必要に応じて、ルーフシートを収納するドラム本体と張出用バー等を含むシートドラムセットを、ワンタッチで取外すこともできる等、自動車用雨除け装置２１の屋根付荷台Ｃへの取付け、取外しが極めて簡単であり、便利であるという作用、効果を奏するものである。
【００３７】
また、シートドラムセットの張出用バーにサイドポールの一端が固着され、このサイドポールの他端が、サイドポール接続部材に付設されているハンドルの操作により、上記サイドポールの傾斜角度を調節できるようになっていることと、ドラム本体のシート巻筒の軸芯となっている円筒コイルばねの弾発付勢作用で、ドラム本体からルーフシートを引出したり、ルーフシートをドラム本体内へ自動的に巻き取ることができるので、上記サイドポールの傾斜角度を変えて、ルーフシートを望み通りに迫出し調節できるという作用、効果を奏するものである。
【００３８】
上記自動車用雨除け装置２１において、ジョイント１１２は、左及び右側壁面部Ｄの上方部に、適宜支持部材を介して、または、直接に固定されていてもよく、サイドポール接続部材１３１も、左及び右側壁面部Ｄの中間部に、適宜支持部材を介して、または、直接に固定されていてもよい。
【００３９】
本考案の自動車用雨除け装置は、通常にあっては、雨天時に荷物を積み下ろす際に使用するが、降雪時に使用してもよく、好天時にあって強い直射日光を避けるために、日除けとして使用してもよい。
【図面の簡単な説明】
【００４０】
【図１】本考案の自動車用雨除け装置の一実施例の斜視図である。
【図２】図１の自動車用雨除け装置の分解斜視図である。
【図３】図１における側柱の設置状態を示す側面図である。
【図４】図１におけるシートドラムセットの分解斜視図である。
【図５】シートドラムセットの側柱への装着方法を示す部分斜視図である。
【図６】図１におけるサイドポール接続部材の作用機構を示す部分斜視図である。
【図７】本考案の自動車用雨除け装置の他実施例の斜視図である。
【図８】シートドラムセットのジョイントへの装着方法を示す部分斜視図である。
【図９】図７におけるサイドポール接続部材の作用機構を示す部分斜視図である。
【符号の説明】
【００４１】
１  自動車用雨除け装置
１１  側柱
１１−１  柱上段部
１１−２  柱下段部
１１−３  柱接続部材
１１１  上部パット
１１２  ジョイント
１１４  高さ調節部材
１１４′ねじ螺合部
１１５  下部パット
１２  シートドラムセット
１２１  ルーフシート
１２２  ドラム本体
１２２′シート巻筒
１２３  円筒コイルばね
１２４′ホルダー
１２５  張出用バー
１２６  ドラム掛止部
１２７  バー固定部材
１３  サイドポール
１３１  サイドポール接続部材
１３２  ハンドル
２１  自動車用雨除け装置
Ｃ  屋根付荷台
Ａ  上壁面
Ｂ  底壁面
Ｄ  側壁面
【図１】
0003103055.tif 000003
【図２】
0003103055.tif 000004
【図３】
0003103055.tif 000005
【図４】
0003103055.tif 000006
【図５】
0003103055.tif 000007
【図６】
0003103055.tif 000008
【図７】
0003103055.tif 000009
【図８】
0003103055.tif 000010
【図９】
0003103055.tif 000011